(57)【要約】      （修正有）【課題】ＷＬＡＮオフローディングをサポートするための装置および方法を提供する。【解決手段】デバイスは、第１のインタフェースを介して無線ローカルエリアアクセスネットワーク（ＷＬＡＮ）のアクセスポイント（ＡＰ）から送信されたＷＬＡＮ性能又はＷＬＡＮアラーム情報に関する第１管理情報を取得する。デバイスは、第１管理情報を第２管理情報にマッピングし、ＷＬＡＮ性能又はＷＬＡＮアラーム情報に基づいて、ＷＬＡＮオフローディングオペレーションの管理をサポートすべく、第２のインタフェースを介して、３ＧＰＰ通信ネットワークのインテグレーションリファレンスポイント（ＩＲＰ）マネージャに第２管理情報を送信する。第２のインタフェースは、アラームＩＲＰインタフェース又はパフォーマンスマネジメントＩＲＰインタフェースである。【選択図】図３
2018125880.tif 000002
【特許請求の範囲】
【請求項１】
第１のインタフェースを介して無線ローカルエリアアクセスネットワーク（ＷＬＡＮ）のアクセスポイント（ＡＰ）から送信されたＷＬＡＮ性能又はＷＬＡＮアラーム情報に関する第１管理情報を取得し、前記第１管理情報を、第３世代パートナーシッププロジェクト（３ＧＰＰ）プロトコルに従って実装され、前記第１のインタフェースとは異なるタイプ２インタフェースを介して送信される第２管理情報にマッピングするトランスレータと、
前記トランスレータに接続され、前記ＷＬＡＮ性能又は前記ＷＬＡＮアラーム情報に基づいて、ＷＬＡＮオフローディングオペレーションの管理をサポートすべく、前記タイプ２インタフェースを介して、３ＧＰＰ通信ネットワークのインテグレーションリファレンスポイントマネージャ（ＩＲＰマネージャ）に前記第２管理情報を送信するＩＲＰエージェントと
を備える装置。
【請求項２】
前記第１管理情報は、前記ＷＬＡＮ性能及び前記ＷＬＡＮアラーム情報に関する、請求項１に記載の装置。
【請求項３】
前記第１管理情報は、前記ＡＰの状態変化を示す、請求項１又は２に記載の装置。
【請求項４】
前記状態変化は、ｉｆＯｐｅｒＳｔａｔｕｓオブジェクトのアップ又はダウンへの変化である、請求項３に記載の装置。
【請求項５】
前記第２管理情報は、アラームであり、前記タイプ２インタフェースは、アラームインテグレーションリファレンスポイントインタフェース（ＡｌａｒｍＩＲＰインタフェース）である、請求項４に記載の装置。
【請求項６】
前記装置は、アクセスコントローラから前記第１管理情報を受信する、請求項１から５のいずれか一項に記載の装置。
【請求項７】
前記第１のインタフェースは、ＩＥＥＥ（Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ）８０２．１１における標準プロトコルに従って実装されるタイプ１インタフェースである、請求項１から６のいずれか一項に記載の装置。
【請求項８】
前記第１管理情報は、前記ＡＰの複数の性能測定のうちの少なくとも１つ、又は、前記ＡＰからの複数のアラームの少なくとも１つを有する、請求項１から７のいずれか一項に記載の装置。
【請求項９】
コンピュータに、
第１のインタフェースを介して無線ローカルエリアアクセスネットワーク（ＷＬＡＮ）のアクセスポイント（ＡＰ）から送信されたＷＬＡＮ性能又はＷＬＡＮアラーム情報に関する第１管理情報を取得する手順と、
前記第１管理情報を、第３世代パートナーシッププロジェクト（３ＧＰＰ）プロトコルに従って実装され、前記第１のインタフェースとは異なるタイプ２インタフェースを介して送信される第２管理情報にマッピングする手順と、
前記ＷＬＡＮ性能又は前記ＷＬＡＮアラーム情報に基づいて、ＷＬＡＮオフローディングオペレーションの管理をサポートすべく、前記タイプ２インタフェースを介して、３ＧＰＰ通信ネットワークのインテグレーションリファレンスポイントマネージャ（ＩＲＰマネージャ）に前記第２管理情報を送信する手順と
を実行させるためのプログラム。
【請求項１０】
前記第１管理情報は、前記ＷＬＡＮ性能及び前記ＷＬＡＮアラーム情報に関する、請求項９に記載のプログラム。
【請求項１１】
前記第１管理情報は、前記ＡＰの状態変化を示す、請求項９又は１０に記載のプログラム。
【請求項１２】
前記状態変化は、ｉｆＯｐｅｒＳｔａｔｕｓオブジェクトのアップ又はダウンへの変化である、請求項１１に記載のプログラム。
【請求項１３】
前記第２管理情報は、アラームであり、前記タイプ２インタフェースは、アラームインテグレーションリファレンスポイントインタフェース（ＡｌａｒｍＩＲＰインタフェース）である、請求項９から１２のいずれか一項に記載のプログラム。
【請求項１４】
前記コンピュータに、アクセスコントローラから前記第１管理情報を受信する手順をさらに実行させるための、請求項９から１３のいずれか一項に記載のプログラム。
【請求項１５】
前記第１のインタフェースは、ＩＥＥＥ（Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ）８０２．１１における標準プロトコルに従って実装されるタイプ１インタフェースである、請求項９から１４のいずれか一項に記載のプログラム。
【請求項１６】
前記第１管理情報は、前記ＡＰの複数の性能測定のうちの少なくとも１つ、又は、前記ＡＰからの複数のアラームの少なくとも１つを有する、請求項９から１５のいずれか一項に記載のプログラム。
【請求項１７】
請求項９から１６のいずれか一項に記載のプログラムを記録したコンピュータ可読記録媒体。
【請求項１８】
デバイスが、第１のインタフェースを介して無線ローカルエリアアクセスネットワーク（ＷＬＡＮ）のアクセスポイント（ＡＰ）から送信されたＷＬＡＮ性能又はＷＬＡＮアラーム情報に関する第１管理情報を取得する工程と、
前記デバイスが、前記第１管理情報を、第３世代パートナーシッププロジェクト（３ＧＰＰ）プロトコルに従って実装され、前記第１のインタフェースとは異なるタイプ２インタフェースを介して送信される第２管理情報にマッピングする工程と、
前記デバイスが、前記ＷＬＡＮ性能又は前記ＷＬＡＮアラーム情報に基づいて、ＷＬＡＮオフローディングオペレーションの管理をサポートすべく、前記タイプ２インタフェースを介して、３ＧＰＰ通信ネットワークのインテグレーションリファレンスポイントマネージャ（ＩＲＰマネージャ）に前記第２管理情報を送信する工程と
を備える方法。
【請求項１９】
前記第１管理情報は、前記ＷＬＡＮ性能及び前記ＷＬＡＮアラーム情報に関する、請求項１８に記載の方法。
【請求項２０】
前記第１管理情報は、前記ＡＰの状態変化を示す、請求項１８又は１９に記載の方法。
【請求項２１】
前記状態変化は、ｉｆＯｐｅｒＳｔａｔｕｓオブジェクトのアップ又はダウンへの変化である、請求項２０に記載の方法。
【請求項２２】
前記第２管理情報は、アラームであり、前記タイプ２インタフェースは、アラームインテグレーションリファレンスポイントインタフェース（ＡｌａｒｍＩＲＰインタフェース）である、請求項１８から２１のいずれか一項に記載の方法。
【請求項２３】
前記デバイスが、アクセスコントローラから前記第１管理情報を受信する工程をさらに備える、請求項１８から２２のいずれか一項に記載の方法。
【請求項２４】
請求項１８から２３のいずれか一項に記載の方法を実行するデバイス。
【発明の詳細な説明】
【背景技術】
【０００１】
［関連出願の相互参照］
本願は、２０１２年９月２８日に出願された、ＡＤＶＡＮＣＥＤ  ＷＩＲＥＬＥＳＳ  ＣＯＭＭＵＮＩＣＡＴＩＯＮ  ＳＹＳＴＥＭＳ  ＡＮＤ  ＴＥＣＨＮＩＱＵＥＳと題された米国仮特許出願第６１／７０７，７８４に対する優先権を主張する、２０１３年３月１４日に出願された、ＭＡＮＡＧＥＭＥＮＴ  ＡＰＰＡＲＡＴＵＳ  ＡＮＤ  ＭＥＴＨＯＤ  ＴＯ  ＳＵＰＰＯＲＴ  ＷＬＡＮ  ＯＦＦＬＯＡＤＩＮＧと題された米国特許出願番号１３／８３０，３８１に対する優先権を主張し、その複数の内容は、本明細書中にその全体が参照によって組み込まれる。
【０００２】
［技術分野］
本開示は、概して、無線通信に関し、より詳細には、無線ローカルエリアネットワーク（ＷＬＡＮ）オフローディングをサポートする管理装置及び方法に関する。
【０００３】
世界のモバイルデータトラフィックは、複数のスマートフォン及び複数のタブレットのような複数のモバイルデバイスの急速な採用と、複数のクラウドコンピューティングアプリケーションの出現とにより、近年急速に増大した。複数の追加基地局の配置又は先端技術の向上によるネットワーク容量の拡大は、増加の一途をたどるモバイルデータに対する需要に遅れずについていくことはできないかもしれない。それ故、ＷＬＡＮオフローディングが、さらなるネットワークのアップグレード又は拡張を必要とすることなく、複数のセルラーネットワークから相当量のモバイルデータトラフィックをオフローディングすることによってトラフィックの混雑を軽減するために用いられる。しかし、ＷＬＡＮのその動きがセルラーの複数のオペレータにまだ知られていないので、ＷＬＡＮオフローディングは、そのような役割を担うことができていない。例えば、複数のセルラーネットワーク及び複数のＷＬＡＮは、２つの独立したオペレーションズ、アドミニストレーション、メンテナンス＆プロビジョニング（ＯＡＭ＆Ｐ又はＯＡＭＰ）システムによって管理されているので、ＷＬＡＮ性能データは、複数の第３世代パートナーシッププロジェクト（３ＧＰＰ）システムにおいて利用されていない。
【図面の簡単な説明】
【０００４】
複数の実施形態が、添付の複数の図面と併せて以下の詳細な説明によって容易に理解されるだろう。この説明を容易にするべく、同様の複数の参照番号が、同様の複数の構造要素を指定する。複数の実施形態は、添付の複数の図面の複数の図において、限定のためでなく、例示のために示される。
【０００５】
【図１】様々な実施形態に従って、ＷＬＡＮオフローディングをサポートするために、セルラーネットワークにおいて、多数のアクセスポイント（ＡＰ）の複数のカバレッジエリアが複数のセルに重なっている環境を示す。
【０００６】
【図２】様々な実施形態に従って、ＷＬＡＮオフローディングをサポートするネットワーク管理システムの例を示すブロック図である。
【０００７】
【図３】様々な実施形態に従う、管理メッセージの通信処理の一例のフロー図である。
【０００８】
【図４】様々な実施形態に従う、ＷＬＡＮオフローディングオペレーショントリガープロセスの一例のフロー図である。
【０００９】
【図５】様々な実施形態に従う、ＷＬＡＮオフローディングオペレーション指示プロセスの一例のフロー図である。
【００１０】
【図６】様々な実施形態に従う、開示された複数の実施形態を実現するのに適したコンピューティングデバイスの一例のブロック図である。
【００１１】
【図７】様々な実施形態に従う、本開示の複数の態様を組み込む複数のプログラミング命令を有する製品の説明を示す。
【発明を実施するための形態】
【００１２】
複数のシステム及び複数の技術の複数の実施形態が、ＷＬＡＮオフローディングをサポートするために記載される。いくつかの実施形態において、ＷＬＡＮオフローディングをサポートするためのネットワーク管理システム（ＮＭＳ）は、ネットワークマネージャ（ＮＭ）と、当該ネットワークマネージャに接続され、当該ネットワークマネージャ及び１又は複数のＷＬＡＮと通信する第１エレメントマネージャ（ＥＭ）と、ＮＭに接続され、ＮＭ及びセルラーネットワークの１又は複数の基地局と通信する第２ＥＭとを含んでよい。１又は複数のＷＬＡＮの少なくとも１つのアクセスポイント（ＡＰ）のカバレッジエリアは、ＷＬＡＮオフローディングオペレーションをサポートするべく、１又は複数のセルのうちの少なくとも１つと重なる。さらに、ＮＭは、１又は複数のＷＬＡＮから受信した少なくとも１つのインジケータの少なくとも一部に基づいて、ＷＬＡＮオフローディングオペレーションを有効にする。他の複数の実施形態が、記載され、かつ主張されてよい。
【００１３】
本明細書において開示された複数のシステム及び複数の技術は、３ＧＰＰのオペレーションズ、アドミニストレーション、メンテナンス（ＯＡＭ）システムが、ＷＬＡＮオフローディングをサポートするためにＷＬＡＮの複数の性能測定及び複数のアラームをモニタすることと、ＷＬＡＮオフローディングの性能を評価することとを可能にする。本明細書において開示された複数のシステム及び複数の技術は、ＷＬＡＮオフローディングをサポートすることによって、よりよいネットワーク計画を可能にしてよい。本明細書において開示された複数のシステム及び複数の技術は、ピークトラフィックに順応するために過度にプロビジョニングすることなく、セルラーネットワーク内のリソース管理を改善してよい。本開示は、複数のＷＬＡＮ  ＡＰが、３ＧＰＰにおいて知られていない又は標準化されていないインタフェースを介して接続されることが可能なものを含むＷＬＡＮオフローディングアプリケーションにおいて特に有効であってよい。
【００１４】
以下の詳細な説明において、参照は、本願の一部を構成する複数の添付図面に付与され、初めから終わりまで同様の数字は同様の部材を指定し、実施される可能性のある実施形態の実例として示される。他の複数の実施形態が利用されてよく、本開示の範囲を逸脱することなく構造的又は論理的な変更が加えられてもよいことが理解されるべきである。それ故、以下の詳細な説明は、限定的な意味で解釈されるべきではなく、また、複数の実施形態の範囲は、添付の複数の特許請求の範囲及びその複数の均等物によって定義される。
【００１５】
様々なオペレーションが、クレームされた主題を理解する上で非常に役立つ意味で、複数の個別のアクション又は順番になされる複数のオペレーションとして記述される場合がある。しかしながら、説明の順番は、必ずしも、これらのオペレーションが順番に依存することを示唆していると解釈されるべきではない。特に、これら複数のオペレーションは、提示された順番に実行されなくてもよい。記載された複数のオペレーションは、実施形態に記載されている順番とは異なる順番で実行されてもよい。追加の複数の実施形態において、様々な追加のオペレーションが実行される、及び／又は、記載された複数のオペレーションが省略される場合がある。
【００１６】
本開示の目的のために、「Ａ及び／又はＢ」と、"Ａ又はＢ"という文言は、「Ａ」、「Ｂ」、又は「Ａ及びＢ」を意味する。  本開示の目的のために、「Ａ、Ｂ、及び／又はＣ」という文言は、「Ａ」、「Ｂ」、「Ｃ」、「Ａ及びＢ」、「Ａ及びＣ」、「Ｂ及びＣ」、又は「Ａ、Ｂ及びＣ」を意味する。
【００１７】
説明において、「一実施形態において」又は「複数の実施形態において」という文言を、それぞれ、１又は複数の同一又は異なる実施形態に言及するものとして用いる場合がある。さらに、「備える」、「含む」、「有する」等の用語は、本開示の複数の実施形態に関連して使用される場合、同義語である。
【００１８】
本明細書において用いられている場合、「モジュール」という用語は、１若しくは複数のソフトウェア若しくはファームウェアプログラムを実行する特定用途向け集積回路（ＡＳＩＣ）、電子回路、プロセッサ（共有、専用又はグループ）及び／又はメモリ（共有、専用又はグループ）、組み合わせ論理回路、及び／又は、記載された機能を提供する他の適切なコンポーネントの一部である、又は、それらを含むことに言及する場合がある。
【００１９】
図１を参照すると、ＷＬＡＮオフローディングをサポートするべく、多数のアクセスポイントのカバレッジエリアがセルラーネットワーク内の複数のセルに様々に重なっている環境１００が示される。例えば、アクセスポイント（ＡＰ）１３１−１３４のカバレッジエリアがセル１３０に重なる一方、アクセスポイント１２１―１２５のカバレッジエリアは、セル１２０に重なる。複数の実施形態において、アクセスポイント１２１−１２５及び１３１−１３４がそれぞれＷＬＡＮを提供してよい一方で、ｅｎｈａｎｃｅｄ  ｎｏｄｅＢ／ｎｏｄｅＢ（ｅＮＢ／ＮＢ）１１０は、セル１２０及び１３０のうちの１つ又は両方を提供してよい。本明細書において使用される場合、複数のｅＮＢ及び複数のＮＢは、一般的に基地局と呼ばれてよい。複数の実施形態において、セルラーネットワークは、次世代ユニバーサル地上無線アクセスネットワーク（Ｅ−ＵＴＲＡＮ）、ユニバーサル移動通信システム地上無線アクセスネットワーク（ＵＴＲＡＮ）、又は、ｇｌｏｂａｌ  ｓｙｓｔｅｍ  ｆｏｒ  ｍｏｂｉｌｅ  ｃｏｍｍｕｎｉｃａｔｉｏｎｓ  ｅｎｈａｎｃｅｄ  ｄａｔａ  ｒａｔｅｓ  ｆｏｒ  ｇｌｏｂａｌ  ｓｙｓｔｅｍ  ｆｏｒ  ｍｏｂｉｌｅ  ｃｏｍｍｕｎｉｃａｔｉｏｎ  ｅｖｏｌｖｅｄ  ｒａｄｉｏ  ａｃｃｅｓｓ  ｎｅｔｗｏｒｋ（ＧＥＲＡＮ）であってよい。複数の実施形態において、ＡＰ又はｅＮＢ／ＮＢは、ネットワークの性質及び設計、ＷＬＡＮ又はセルラーネットワークの状況、複数のネットワークユーザの選択、他の変化するものに応じた特定の機能及びリソースを使えるように設定されるか又はそれら機能及びリソースに制限されてよい。
【００２０】
環境１００において、セルラーネットワークは、例えば、データトラフィック、ボイストラフィック、ＨＴＴＰを使用したマルチメディア配信、ＲＴＦを使用したライブストリーミング、対話サービス（例えば、ビデオ会議）及びテレビ放送等の多数のサービスのいくつかを配信するよう構成されてよい。環境１００において、サービスを配信する性能は、ネットワーク容量によって制限されることがある。ｅＮＢ／ＮＢ１１０の容量は、ＡＰ１２１―１２５及び１３１−１３４の容量によって増加するだろう。複数の実施形態において、ｅＮＢ／ＮＢ１１０は、ＷＬＡＮのカバレッジがセル１２０に重なることによって、ＡＰ１２１−１２５のような、１又は複数のＡＰへトラフィックをオフロードできる、又はその逆ができる。複数の実施形態において、複数のセルと複数のＷＬＡＮとの間の関係は、ネットワークオペレータによって構成されてよい。ＡＰ又はｅＮＢ／ＮＢが欠陥を有する場合、セルのトータルの容量は急増する可能性があり、ＷＬＡＮアラーム又はセルアラームが生成される場合がある。複数の実施形態において、ＷＬＡＮ又はセルアラームのレポートは、ｅＮＢ／ＮＢ１１０が、ｅＮＢ／ＮＢ１１０と複数のＡＰとの間の関係に基づいて、複数のＡＰにオフロードすることを予期するオフローディングトラフィックの調整を引き起こしてよい。複数の実施形態において、ＷＬＡＮ又はセルの複数の性能測定が、同様に、ＷＬＡＮオフローディングオペレーションを引き起こしてよい。複数の実施形態において、トラフィックボリューム閾値又はトラフィックタイプフィルタが、ＷＬＡＮオフローディングオペレーションを導くように設定されてよい。例えば、セル１２０のオフローディングボリューム閾値は、セル１２０のトラフィックにおけるトラフィックの３０％が、ＡＰ１２１−１２５に対してオフロードされることが予期されることを示す、３０％に設定されてよい。例えば、ＡＰ１２２及び１２４に障害があることが検出された場合、オフローディングボリューム閾値は、例えば、１８％に下げられるべく調整されてよい。複数の実施形態において、セル１２０及び１３０の間のトラフィックの配分は、例えば、セル１２０及び１３０のトラフィック負荷（例えば、セル１２０及び１３０の負荷のバランスをとること）に基づいてよい。それに応じて、ＷＬＡＮオフローディングは、一つのセルのｅＮＢ／ＮＢから、他のセルの複数のＡＰに対して実行されてよい。例えば、セル１２０のｅＮＢ／ＮＢは、自身のトラフィックの一部を、セル１３０のＡＰ１３１及び／又は１３２に対してオフロードすることを許可されてよい。追加の複数の実施形態が、本明細書において説明される。
【００２１】
図２を参照すると、様々な実施形態に従って、ＷＬＡＮオフローディングをサポートするネットワーク管理システム２００の例を示すブロック図が示される。ネットワーク管理システム２００には、複数のインタフェースとして知られている論理接続を介して接続された様々なネットワークエンティティがある。例えば、複数のネットワークエレメント（ＮＥ）は、特定のＮＥに適した特定のインタフェース上で管理されてよい個別のテレコミュニケーションエンティティであってよい。他の例では、複数のエレメントマネージャ（ＥＭ）が、複数のエレメント管理機能及び複数のサブネットワーク管理機能を含むエンドユーザのホストの機能を用いて複数のＮＥの密接に関連する複数のタイプのセットを管理してよい。複数のエレメント管理機能は、ＥＭが、複数のＮＥを個別に管理できるようにしてよい。さらに他の例では、複数のドメインマネージャ（ＤＭ）が、サブネットワークのための複数のドメイン管理機能を提供してよい。さらに他の例では、ネットワークマネージャ（ＮＭ）が、複数のＥＭ又は複数のＤＭによってサポートされるような、ネットワークの管理の責任を負ってよい。
【００２２】
ネットワーク管理システム２００における各ネットワークエンティティは、送受信モジュール（図示されていない）を含んでよい。送受信モジュールは、有線接続又は無線接続によって、他の複数のデバイスに信号を送信する及び他の複数のデバイスから信号を受信するよう構成されてよい。例えば、送受信モジュールは、ＮＥ、ＥＭ、ＤＭ若しくはＮＭから信号を受信する、又は、ＮＥ、ＥＭ、ＤＭ若しくはＮＭに信号を送信するよう構成されてよい。セルラーネットワーク内の通信は、マルチベンダ及び複数のマルチ技術ＮＥをサポートする標準インタフェースに基づいてよい。セルラーネットワークとＷＬＡＮとの間の通信は、非標準インタフェースに基づいてよい。
【００２３】
複数の実施形態において、ネットワーク管理システム２００は、ＮＭ２１０と、ｅＮＢ／ＮＢ２４２及び２５２、又は、ＷＬＡＮ  ＡＰ２４４、２７２及び２７４のような様々なＮＥを管理する上で、ＥＭ２３２、２５０、２６０のような様々なＥＭとを含んでよい。複数のＮＥは、図２には示されていない複数の通信システムエンティティを追加で含んでよい。追加の複数のＮＥの例は、ユーザ機器（ＬＩＥ）、複数のスイッチ、複数のルータ、又は他の通信システムコンポーネントを含んでよい。複数の実施形態において、複数のＤＭは、ＥＭがＤＭによって管理されてよい管理階層の中央に位置してよい。例えば、ＤＭ２３０は、ＥＭ２３２を管理してよく、ＮＭ２１０によって管理されてよい。
【００２４】
複数の実施形態において、ＮＭ２１０は、ネットワーク管理システム２００の複数のエンティティをモニタし、それらの性能の複数の測定と、複数のエンティティ内の複数の関係とを収集する。これらの測定及び関係の分析に基づいて、ＮＭ２１０は、ネットワーク管理システム２００の構成及びオペレーションにおける潜在的な複数の問題及び改善を識別してよい。
【００２５】
ＷＬＡＮオフローディングのために、ネットワーク加入者が受信する可能性があるサービスの品質（ＱｏＳ）をモニタすべく、ＷＬＡＮ性能データが使用されてよい。複数の実施形態において、例えば、データ量（ＤＶ）及び関連するＵＥの数（ＵＥ＃）のような、様々なパラメータによって、ＷＬＡＮ性能がモニタされてよい。複数の実施形態において、ＤＶは、経過時間単位毎の、ＭＡＣ層又はＩＰ層レベルの、データ量を測定するべく使用されてよい。ＤＶは、ＷＬＡＮ  ＡＰにおける負荷を示してよい。例えば、ＷＬＡＮ  ＡＰからの、いくつかある性能測定カウンタがマッピングされてよく、次に、ＩＥＴＦ  ＲＦＣ２８６３に定義された通りに、ｉｆＩｎＯｃｔｅｔｓ及びｉｆＯｕｔＯｃｔｅｔｓのように、ＮＭに配信されてよい。複数の実施形態において、ＷＬＡＮ  ＡＰに接続されているＵＥの数は、どれだけのユーザが、与えられたＷＬＡＮ  ＡＰに関連付けられているかを決定するために使用されてよい。より低いパケットスループットが多数の関連付けられたＵＥから生成されることは、不十分なＷＬＡＮ性能を示すだろう。例えば、複数のＵＥの数を示すＷＬＡＮ  ＡＰからのいくつかある性能測定カウンタがマッピングされてよく、次に、ＩＥＥＥ８０２．１１の、ＩＥＥＥ８０２．１１管理情報ベース（ＭＩＢ）におけるドット１１  ＡｓｓｏｃｉａｔｅｄＳｔａｔｉｏｎＣｏｕｎｔのカウンタのように、ＮＭに配信されてよい。
【００２６】
複数の実施形態において、ネットワーク管理システム２００における様々なネットワーク機器は、ＷＬＡＮオフローディングオペレーションをサポートするよう構成されてよい。複数の実施形態において、本明細書において説明されるＷＬＡＮオフローディングオペレーションは、ＮＭ２１０と、ＥＭ２６０のような様々なＥＭとの間のインタラクションによって、全体的に又は部分的に実行されてよい。複数の実施形態において、ＮＭ２１０は、異なる複数のＮＥの間でＷＬＡＮオフローディングオペレーションを引き起こすことを含む多数のＷＬＡＮオフローディングアプリケーションのうちのいくつかのために、ＥＭ２６０又は２５０のような１又は複数のＥＭによって提供される情報を使用してよい。本明細書において、ＮＭ２１０によって実行されてよい多数の機能が説明される。複数の実施形態において、ＥＭ２６０は、複数の異なるタイプのインタフェースを超えて、ＷＬＡＮ  ＡＰ２７２のようなＮＥと、ＮＭ２１０との間の通信を促進してよい。例えば、ＥＭ２６０は、ＷＬＡＮ  ＡＰ２７２とは、３ＧＰＰにおいて知られていないタイプ１インタフェースを介して通信してよいが、ＮＭ２１０とは、３ＧＰＰにおいて知られているタイプ２インタフェースを介して通信してよい。複数の実施形態において、タイプ１インタフェースは、ＩＥＥＥ８０２．１１の標準プロトコル又はＡＰによって使用されるプロプラエタリプロトコルに従って実装されてよい。複数の実施形態において、タイプ２インタフェースは、３ＧＰＰの標準インタフェースであってよい。
【００２７】
エレメントマネージャ２６０を参照すると、ＥＭ２６０の実例となる複数のコンポーネントが示されている。ＥＭ２６０は、ＩＲＰエージェント２６２、トランスレータ２６４及びアクセスコントローラ（ＡＣ）２６６を含んでよい。ＡＣ２６６は、タイプ１インタフェースを介して、複数のＷＬＡＮ  ＡＰと管理情報を通信するよう構成されてよい。いくつかの実施形態において、管理情報は、ＷＬＡＮ性能モニタ情報、ＷＬＡＮアラームレポート情報、ＷＬＡＮオフローディング情報、ＷＬＡＮ管理情報を含んでよい。例えば、ＷＬＡＮ  ＡＰ２７２は、送信されたフラグメントカウント、受信されたフラグメントカウント、破棄されたフラグメントカウント、失敗したフラグメントカウント、その他に関して、その性能測定をＡＣ２６６にレポートしてよい。他の例において、ＷＬＡＮ  ＡＰ２７２は、深刻なネットワークの混雑又は他の重要な条件に関して、ＡＣ２６６に複数のアラームをレポートしてよい。
【００２８】
ＩＲＰエージェント２６２は、タイプ２インタフェースを介して、ＮＭのＩＲＰマネージャと管理情報を通信するよう構成されてよい。いくつかの実施形態において、管理情報は、ＷＬＡＮ性能モニタ情報、ＷＬＡＮアラームレポート情報、ＷＬＡＮオフローディング情報、ＷＬＡＮ管理情報を含んでよい。例えば、タイプ２インタフェースは、パフォーマンスマネジメントインテグレーションリファレンスポイント（ＰＭＩＲＰ）インタフェースであってよく、ＩＲＰエージェント２６２は、ＰＭＩＲＰインタフェースを介して、ＩＲＰマネージャ２２０に、ＡＰの性能測定を伝達するよう構成されてよい。それに応じて、ＩＲＰエージェント２６２は、ＩＲＰマネージャ２２０が、様々なＷＬＡＮ  ＡＰから様々な性能測定を取得することを許可するよう構成されてよい。他の例において、タイプ２インタフェースは、アラームインテグレーションリファレンスポイント（ＡｌａｒｍＩＲＰ）インタフェースであってよく、ＩＲＰエージェント２６２は、ＡｌａｒｍＩＲＰインタフェースを介して、ＩＲＰマネージャ２２０に、ＷＬＡＮアラームを伝達するよう構成されてよい。他の例において、ＩＲＰエージェント２６２は、３ＧＰＰの１又は複数の標準インタフェースを介して、ＩＲＰマネージャ２２０から、ＷＬＡＮオフローディングコマンド又はＷＬＡＮ管理コマンドを受信するよう構成されてよい。
【００２９】
トランスレータ２６４は、ＡＣ２６６及びＩＲＰエージェント２６２に接続されてよく、かつ、ＡＣ２６６とＩＲＰエージェント２６２との間の管理情報をマッピングし、タイプ１インタフェースとタイプ２インタフェースとの間のクロスオーバを可能にするべく構成されてよい。複数の実施形態において、３ＧＰＰ以外の標準開発機構（ＳＤＯ）からの複数の標準が、ＷＬＡＮ  ＡＰへのタイプ１インタフェースが、３ＧＰＰにおいて標準化されていないことを理由に、ＡＣ２６６とＩＲＰエージェント２６２との間の管理情報のマッピングをサポートするべく採用されてよい。例えば、ＩＥＥＥ及びＩＥＴＦの複数のＷＬＡＮ性能測定又はそれらの派生物に基づく複数の標準が使用されてよい。複数の実施形態において、トランスレータ２６４は、ＷＬＡＮ  ＡＰの性能を測定するための複数のカウンタを提供するＱｏＳカウンターテーブルを使用してよい。複数のＷＬＡＮ  ＡＰは、ＱｏＳカウンターテーブルに適合した形態で複数の性能測定をレポートしてよい。そして、トランスレータ２６４は、複数のＷＬＡＮ  ＡＰの性能を、ＱｏＳカウンターテーブルに基づいてタイプ２インタフェースを超えて容易に伝達できる管理情報に変換してよい。
【００３０】
上述した複数のコンポーネントは、例である。開示された実施形態にしたがって、１又は複数のコンポーネントのいくらかは、組み合わされる又は省略されてよく、追加の複数のコンポーネントが含められてよい。例えば、いくつかの実施形態において、単一のＩＲＰエージェントが、ＩＲＰエージェント２６２及びトランスレータ２６４の両方の機能の少なくともいくらかを含んでよい。他の例として、いくつかの実施形態において、単一のＩＲＰエージェントは、ＩＲＰエージェント２６２、トランスレータ２６４及びＡＣ２６６の全ての機能を含んでよく、それにより、タイプ１インタフェース及びタイプ２インタフェースの両方に渡る、ＷＬＡＮ  ＡＰ２７２のようなネットワークエレメントと、ＮＭ２１０のようなネットワークマネージャとの間の通信を橋渡しするための機能を総合的に扱ってよい。他の例において、ＩＲＰエージェント２６２にはＮＭが組み込まれてよく、ＡＣ２６６には、ＮＥが組み込まれてよく、又は、それらには、ＤＭ２３０のようなＥＭ２６０から分離されたコンピューティングデバイスが組み込まれてよい。
【００３１】
ＩＲＰマネージャ２２０を参照すると、ＩＲＰマネージャ２２０の実例となる複数のコンポーネントが示されており、ＩＲＰマネージャ２２０は、モニタモジュール２２２、トリガモジュール２２４及び命令モジュール２２６を含んでよい。モバイルデータトラフィックは、急速にかつ動的に変動するので、ｅＮＢ／ＮＢ及び複数のＷＬＡＮ  ＡＰの両方の性能測定は、ＷＬＡＮオフローディング性能を改善するべく、定期的に収集されて、それから分析される必要がある。複数の実施形態において、モニタモジュール２２２は、複数のＡＰ又は複数のｅＮＢ／ＮＢの多数のインジケータをモニタするよう構成されてよい。多数のインジケータは、ＷＬＡＮ  ＡＰ２７２及び２７４と直接通信するＥＭ２６０のようなＥＭから伝達されてよい。いくつかの実施形態において、複数のインジケータは、ＷＬＡＮ性能モニタ情報又はＷＬＡＮアラームレポート情報を含んでよい。いくつかの実施形態において、複数のインジケータは、セル性能モニタリング情報又はセルアラームレポート情報を含んでよい。いくつかの実施形態において、複数のインジケータは、ＡＰセル重複情報を含んでよい。例えば、モニタモジュール２２２は、ｅＮＢ／ＮＢ２５２のカバレッジが、１又は複数のＡＰのカバレッジによって部分的に重なり合っているかどうかに関する重複情報をＥＭ２５０から受信してよい。複数の実施形態において、重複情報は、重複の強度を含んでよい。重複の強度は、ＷＬＡＮオフローディングオペレーションのための候補の複数のＡＰの選択に利用されてよい。様々なネットワーク状況の他の複数のインジケータもまた、モニタモジュールによってモニタされてよい。
【００３２】
トリガモジュール２２４は、モニタモジュール２２２に接続されてよく、モニタモジュール２２２において受信した複数のインジケータに少なくとも一部基づいて、ＷＬＡＮオフローディングオペレーションを有効にするよう構成されてよい。いくつかの実施形態において、ＷＬＡＮオフローディングオペレーションは、セルの負荷が予め定義された負荷しきい値を超えたときに引き起こされてよい。いくつかの実施形態において、ＷＬＡＮ性能測定又はＷＬＡＮの実際の又は予期された混雑を示すＷＬＡＮアラームが、例えば、ＡＰの故障によって発生した場合に、ＷＬＡＮオフローディングオペレーションは引き起こされてよい。それに応じて、ＷＬＡＮオフローディングトラフィックは、低減されるだろう。いくつかの実施形態において、ＷＬＡＮオフローディングオペレーションは、ネットワーク設定によって引き起こされてよい。例えば、高需要の日中の間を例として挙げられる、ある時点において、ＷＬＡＮオフローディングは実行されてよい他の実施形態において、他の様々なネットワーク属性又はそのような属性の変更が、ＷＬＡＮオフローディングオペレーションを引き起こしてよい。
【００３３】
命令モジュール２２６は、トリガモジュール２２４に接続されてよく、オフローディングオペレーションが引き起こされたときに、１又は複数のセルと１又は複数のＷＬＡＮとの間のオフローディングトラフィックを調整するべく、１又は複数のｅＮＢ／ＮＢ及び１又は複数のＷＬＡＮ  ＡＰに命令するよう構成されてよい。いくつかの実施形態において、命令モジュール２２６は、適切な複数の基地局が、例えば、複数の基地局の負荷レベルに基づいて、ＷＬＡＮオフローディングオペレーションを実行するべく命令されるべきであることを決定するよう構成されてよい。いくつかの実施形態において、命令モジュール２２６は、適切な複数のＡＰが、例えば、複数のＡＰの性能測定に基づいてＷＬＡＮオフローディングオペレーションを実行するべく命令されるべきであることを決定するよう構成されてよい。いくつかの実施形態において、命令モジュール２２６は、ＷＬＡＮオフローディングの定性的な又は定量的な属性を精確に測定すべく、トラフィックボリューム閾値又はトラフィックタイプフィルタをセットアップしてよい。例えば、トラフィックボリューム閾値は、セルにおけるトラフィックの全体に対する割合として設定されてよい。他の例として、トラフィックタイプフィルタは、ＷＬＡＮオフローディングからのＶｏＩＰトラフィックを除外するべく設定されてよい。いくつかの実施形態において、命令モジュール２２６は、例えば、多数のＡＰがオペレーションの失敗を経験する又は全ての基地局が既にオフロードされていた場合に、複数のＡＰ又は複数のｅＮＢ／ＮＢに、ＷＬＡＮオフローディングオペレーションを無効化するべく命令するよう構成されてよい。
【００３４】
上述した複数のコンポーネントは例である。開示された実施形態にしたがって、１又は複数のコンポーネントのいくらかは、組み合わされる又は省略されてよく、追加の複数のコンポーネントが含められてよい。例えば、いくつかの実施形態において、単一のモニタモジュールが、モニタモジュール２２２及びトリガモジュール２２４の両方の機能の少なくともいくつかを含んでよい。他の例として、いくつかの実施形態において、単一のトリガモジュールが、モニタモジュール２２２、トリガモジュール２２４及び命令モジュール２２６の全ての機能を含んでよく、それにより、ＥＭ２６０及び２５０のような多数のエレメントマネージャ、又は、ＤＭ２３０のような複数のドメインマネージャを管理するための機能を総合的に扱ってよい。複数の実施形態において、ＩＲＰマネージャ２２０はＤＭ内に配置されてよく、ＷＬＡＮオフローディングオペレーションは、ＤＭ２３０のようなドメインマネージャによって管理されてよい。複数の実施形態において、ＩＲＰマネージャ２２０のいくつか又は全てのコンポーネントは、１又は複数のｅＮＢ／ＮＢ内に配置されてよく、ＷＬＡＮオフローディングオペレーションは、ｅＮＢ／ＮＢ２５２のような１又は複数のｅＮＢ／ＮＢによって管理されてよい。
【００３５】
図３を参照すると、様々な実施形態に従って、管理メッセージパッシングプロセス３００の一例のフロー図が示されている。プロセス３００は、例えば、ＥＭ２６０（図２）によって実行されてよい。プロセス３００は、ＥＭ２６０に関連して、上述された機能のいくつか又は全てを実装する無線通信システムの多数の他のコンポーネントのいくつかによって実行されてよい。例えば、プロセス３００は、ＮＭ２１０（図２）又はｅＮＢ／ＮＢ１１０（図１）によって実行されてよい。プロセス３００（及び本明細書において説明される他の複数のプロセス）の複数のオペレーションが特定の順番で並べられ、それぞれ一度は説明される一方、様々な実施形態において、１又は複数のオペレーションが繰り返されてよく、省略されてよく、又は、記載されている順番とは異なる順番で実行されてよいことが、認識されてよい。例示の目的で、プロセス３００の複数のオペレーションは、ＥＭ２６０（図２）によって実行されるものとして説明されてよいが、プロセス３００は、任意の適切に構成されたデバイスによって実行されてもよい。
【００３６】
プロセス３００は、ＥＭ２６０が、例えばＷＬＡＮ  ＡＰ２７２である無線ローカルエリアネットワークのアクセスポイントから、タイプ１インタフェースを介して、又は、タイプ２インタフェースを介して、例えばＮＭ２１０であるネットワークマネージャから、管理メッセージを受信しうるオペレーション３１０から始まってよい。いくつかの実施形態において、オペレーション３１０は、例えば、ＡＰから受信した、ＷＬＡＮ性能モニタ情報又はＷＬＡＮアラームレポート情報のような情報に基づいて、ＡＣ２６６（図２）によって実行されてよい。いくつかの実施形態において、オペレーション３１０は、例えば、ＩＲＰマネージャ２２０（図２）から受信した、ＷＬＡＮオフローディング情報又はＷＬＡＮ管理情報のような情報に基づいて、ＩＲＰエージェント２６２（図２）によって実行されてよい。
【００３７】
オペレーション３２０において、ＥＭ２６０は、管理メッセージを、タイプ１インタフェースとタイプ２インタフェースとの間で運搬できるように変換してよい。複数の実施形態において、オペレーション３２０は、トランスレータ２６４によって実行されてよく、例えば、トランスレータ２６４のトランスレータは、タイプ１インタフェース上で交換された管理情報をタイプ２インタフェース上で送信されることができる管理情報にマッピングしてよく、またその逆のこともしてよい。複数の実施形態において、トランスレータ２６４は、ＷＬＡＮ  ＡＰから受信した複数の性能測定の情報を、３ＧＰＰにおけるＰＭＩＲＰインタフェース上で送信されるように変換してよい。複数の実施形態において、トランスレータ２６４は、ＷＬＡＮ  ＡＰから受信したアラームの情報を、３ＧＰＰにおけるアラームインテグレーションリファレンスポイント（ＡｌａｒｍＩＲＰ）インタフェース上で送信されるように変換してよい。複数の実施形態において、トランスレータ２６４は、ＩＲＰマネージャ２２０から受信したＷＬＡＮ  ＡＰ管理情報を、タイプ１インタフェース上で送信されるように変換してよい。複数の実施形態において、トランスレータ２６４は、ＩＲＰマネージャ２２０から受信したＷＬＡＮ  ＡＰオフローディング情報を、タイプ１インタフェース上で送信されるように変換してよい。他のタイプの管理情報は、タイプ１インタフェースとタイプ２インタフェースとの間で変換されてよい。
【００３８】
複数の実施形態において、ＷＬＡＮ  ＡＰへのタイプ１インタフェースが３ＧＰＰにおいて標準化されていないことから、３ＧＰＰ以外の標準開発機構（ＳＤＯ）からの複数の標準が、タイプ２性能モニタリング及びＷＬＡＮ管理のためのアラームレポートをサポートするべく採用されてよい。例えば、ＩＥＥＥ及びＩＥＴＦの複数のＷＬＡＮ性能測定又はそれらの派生物に基づく複数の標準が使用されてよい。他の例において、ＩＥＥＥ８０２．１１−２００７において定義された、ＩＥＥＥ８０２．１１  ＭＩＢは、ＷＬＡＮ性能測定のための情報の良好なソースを提供してよい。
【００３９】
複数の実施形態において、トランスレータ２６４は、ＷＬＡＮ  ＡＰの性能を測定するための複数のカウンタを提供するＱｏＳカウンターテーブルを使用してよい。ＷＬＡＮ  ＡＰは、ＱｏＳカウンターテーブルに適合した形態で、その複数の性能測定をレポートしてよい。トランスレータ２６４は、次に、ＱｏＳカウンターテーブルからタイプ２インタフェースへ、ＷＬＡＮ  ＡＰの性能を変換してよい。以下は、そのようなＱｏＳカウンターテーブルの一例を示す。
【表１】
2018125880.tif 000003
【００４０】
オペレーション３３０において、ＥＭ２６０は、その宛先に対して、管理メッセージを送信してよい。複数の実施形態において、オペレーション３３０は、例えば、管理メッセージがＩＲＰマネージャに対して送信されることが意図されている場合に、ＷＬＡＮ  ＡＰから受信した情報に基づいてＩＲＰエージェント２６２によって実行されてよい。例えば、タイプ２インタフェースは、パフォーマンスマネジメントインテグレーションリファレンスポイント（ＰＭＩＲＰ）インタフェースのような３ＧＰＰにおける標準インタフェースであってよく、ＩＲＰエージェント２６２は、次に、管理メッセージ内の多数の性能測定を、ＰＭＩＲＰインタフェースを介してＩＲＰマネージャ２２０に対して送信してよい。他の例において、タイプ２インタフェースは、アラームインテグレーションリファレンスポイント（ＡｌａｒｍＩＲＰ）インタフェースのような３ＧＰＰにおける標準インタフェースであってよく、ＩＲＰエージェント２６２は、次に、管理情報内の１又は複数のアラームを、ＡｌａｒｍＩＲＰインタフェースを介してＩＲＰマネージャ２２０に対して送信してよい。複数の実施形態において、オペレーション３３０は、例えば、管理メッセ―ジがＷＬＡＮ  ＡＰに対して送信されることが意図されている場合に、ＩＲＰマネージャから受信した情報に基づいてＡＣ２６６によって実行されてよい。例えば、タイプ１インタフェースは、ライトウェイトアクセスポイントプロトコル（ＬＷＡＰＰ）に基づく、無線アクセスポイントの制御及びプロビジョニング（ＣＡＰＷＡＰ）のような、ＩＥＥＥ８０２．１１における標準プロトコルに従って実装されてよく、ＡＣ２６６は、次に、ＷＬＡＮ管理情報をＷＬＡＮ  ＡＰ２７２に対して送信してよい。他の例として、タイプ１インタフェースは、ＷＬＡＮ  ＡＰ２７４によって使用されるプロプラエタリプロトコルであってよく、ＡＣ２６６は、次に、ＷＬＡＮオフローディング情報を、プロプラエタリプロトコルを介してＷＬＡＮ  ＡＰ２７４に送信してよい。他の複数のプロトコルもまた、タイプ１インタフェース上で使用されてよい。複数の実施形態において、プロセス３００は、その後終了してよい。
【００４１】
図４を参照すると、様々な実施形態に従って、ＷＬＡＮオフローディングオペレーショントリガープロセス４００の一例のフロー図が示される。プロセス４００は、例えば、ＮＭ２１０（図２）によって実行されてよい。プロセス４００は、ＮＭ２１０に関連して、上述された機能のいくつか又は全てを実装する無線通信システムの多数の他のコンポーネントのいくつかによって実行されてよい。例えば、プロセス４００は、ＩＲＰマネージャ２２０（図２）又はｅＮＢ／ＮＢ１１０（図１）によって実行されてよい。プロセス４００の複数のオペレーションが特定の順番で並べられ、それぞれ一度は説明される一方、様々な実施形態において、１又は複数のオペレーションが繰り返されてよく、省略されてよく、又は、異なる順番で実行されてよいことが、認識されてよい。例示の目的で、プロセス４００の複数のオペレーションは、ＩＲＰマネージャ２２０（図２）によって実行されるものとして説明されてよいが、プロセス４００は、任意の適切に構成されたデバイスによって実行されてもよい。
【００４２】
プロセス４００は、モニタモジュール２２２が、例えば、タイプ２インタフェースを介して、ＥＭ２３２、２５０又は２６０を例として挙げられるエレメントマネージャから、管理メッセージを受信してよいオペレーション４１０から始まってよい。複数の実施形態において、エレメントマネージャは、ＷＬＡＮのＡＰ又はセルの基地局と直接通信してよい。いくつかの実施形態において、管理メッセージは、ＷＬＡＮ  ＡＰ２７２のようなＡＰから受信したＷＬＡＮ性能モニタ情報を含んでよい。いくつかの実施形態において、管理メッセージは、ＷＬＡＮ  ＡＰ２７４等のＡＰから受信したＷＬＡＮアラームレポート情報を含んでよい。いくつかの実施形態において、管理メッセージは、ｅＮＢ／ＮＢ２４２等のｅＮＢ／ＮＢから受信したセル性能モニタリング情報を含んでよい。いくつかの実施形態において、管理メッセージは、ｅＮＢ／ＮＢ２５２等のｅＮＢ／ＮＢから受信したセルアラームレポート情報を含んでよい。複数の実施形態において、管理メッセージは、ＷＬＡＮ  ＡＰとｅＮＢ／ＮＢとのいずれか一方からオフロードされるトラフィックのタイプ及び量の情報を含んでよい。他の管理情報もまた、管理メッセージに含まれてよい。
【００４３】
オペレーション４２０において、ＩＲＰマネージャ２２０は、管理メッセージに少なくとも一部基づいて、ＷＬＡＮオフローディングオペレーションを引き起こしてよい。複数の実施形態において、オペレーション４２０は、ＥＭ２３２、２５０又は２６０から受信した情報に基づいて、トリガモジュール２２４（図２）によって実行されてよい。複数の実施形態において、ＷＬＡＮオフローディングオペレーションは、ＷＬＡＮアラームによって引き起こされてよい。その結果として、ＷＬＡＮオフローディングオペレーションは、ＡＰからｅＮＢ／ＮＢへのトラフィックのオフロードを対象としてよい。複数の実施形態において、ＷＬＡＮオフローディングオペレーションは、セルアラームによって引き起こされてよい。その結果として、ＷＬＡＮオフローディングオペレーションは、ｅＮＢ／ＮＢからＡＰへのトラフィックのオフロードを対象としてよい。複数の実施形態において、ＷＬＡＮオフローディングオペレーションは、ｅＮＢ／ＮＢが複数のＷＬＡＮ  ＡＰに対してオフロードすることが期待される又はその逆が期待されるトラフィックの負荷のバランスがとられ、かつ、セルラーネットワークの性能が改善されるべく、当該トラフィックのタイプと、量又は割合とを調整するべく引き起こされてよい。プロセス４００は、その後、終了してよい。
【００４４】
複数の実施形態において、図３及び図４に関係して、ＷＬＡＮ無線インタフェースリンクのダウンを引き起こすＷＬＡＮ  ＡＰ２７２内の障害から、例示プロセスが開始してよい。次に、ＡＣ２６６は、その状態変化の結果として、タイプ１インタフェースを介して、ＷＬＡＮ  ＡＰ２７２からアラームを受信してよい。例えば、ＲＦＣ２８６３において定義されているｉｆＯｐｅｒＳｔａｔｕｓが、アップからダウンへと推移されてよい。次に、トランスレータ２６４は、ＷＬＡＮ  ＡＰから受信したこのアラームを、タイプ２インタフェースを介して、状態変化通知ポータブルに対して変換してよい。次に、ＩＲＰエージェント２６２は、タイプ２インタフェース上で、状態変化通知をＩＲＰマネージャ２２０に対して送信してよい。次に、モニタモジュール２２２は、状態変化通知を受信してよい。最後に、トリガモジュール２２４は、状態変化通知に少なくとも一部基づいて、ＷＬＡＮオフローディングオペレーションを引き起こしてよい。
【００４５】
図５を参照すると、様々な実施形態に従って、ＷＬＡＮオフローディングオペレーション指示プロセス５００の一例のフロー図が示される。プロセス５００は、例えば、ＮＭ２１０（図２）によって実行されてよい。プロセス５００は、ＮＭ２１０に関連して、上述された機能のいくつか又は全てを実装する無線通信システムの多数の他のコンポーネントのいくつかによって実行されてよい。例えば、プロセス５００は、ＩＲＰマネージャ２２０（図２）、ＤＭ２３０（図２）、又はセルラータワー１１０（図１）における適切な複数のコンポーネントによって実行されてよい。プロセス５００の複数のオペレーションが特定の順番で並べられ、それぞれ一度は説明される一方、様々な実施形態において、１又は複数のオペレーションが繰り返されてよく、省略されてよく、又は、記載されている順番とは異なる順番で実行されてよいことが、認識されてよい。例示の目的で、プロセス５００の複数のオペレーションは、ＩＲＰマネージャ２２０（図２）によって実行されるものとして説明されてよいが、プロセス５００は、任意の適切に構成されたデバイスによって実行されてもよい。
【００４６】
プロセス５００は、命令モジュール２２６が、例えば、管理メッセージに少なくとも一部基づいて、ＷＬＡＮオフローディングのためのトラフィックボリューム閾値及び／又はトラフィックタイプフィルタを設定してよいオペレーション５１０から始まってよい。複数の実施形態において、トラフィックボリューム閾値は、１キロビット、メガビット、ギガビット又はテラビットのような、データの絶対量に基づいて設定されてよい。複数の実施形態において、トラフィックボリューム閾値は、１キロビット毎秒（ｂｐｓ）、メガビット毎秒（Ｍｂｐｓ）又はギガビット毎秒（Ｇｂｐｓ）のような、絶対的なデータ転送レートに基づいて設定されてよい。複数の実施形態において、トラフィックボリューム閾値は、ＷＬＡＮ  ＡＰの設計された帯域幅の５０％のような、トラフィックの相対的な割合に基づいて設定されてよい。複数の実施形態において、トラフィックタイプフィルタは、Ｖｏｉｃｅ  ｏｖｅｒ  ＩＰ（ＶｏＩＰ）、ウェブ、電子メール、ファイル転送又はゲーム等のトラフィックのアプリケーションに基づいて設定されてよい。複数の実施形態において、トラフィックタイプフィルタは、インターネットプロトコル（ＩＰ）における、トランスミッションコントロールプロトコル（ＴＣＰ）、ユーザデータグラムプロトコル（ＵＤＰ）、インターネットコントロールメッセージプロトコル（ＩＣＭＰ）、その他、又は、３ＧＰＰロングタームエボリューション（ＬＴＥ）プロトコルスタックにおけるパケットデータコンバージェンスプロトコル（ＰＤＣＰ）、無線リソース制御（ＲＲＣ）、その他のような、トラフィックのプロトコルに基づいて設定されてよい。複数の実施形態において、トラフィックタイプフィルタは、時刻、曜日又は１年のうちの月のような、トラフィックの時間に基づいて設定されてよい。複数の実施形態において、トラフィックタイプフィルタは、パケットサイズのようなパケットレベル特性又はフローの持続時間のようなフローレベル特性に基づいて設定されてよい。トラフィックボリューム閾値又はトラフィックタイプフィルタは、他の複数のメトリック又は複数の目的に基づいて設定されてよい。
【００４７】
複数の実施形態において、ＷＬＡＮ  ＡＰ又はｅＮＢ／ＮＢから受信したアラームは、ＷＬＡＮ  ＡＰ又はｅＮＢ／ＮＢによって経験された実際のトラフィックの過負荷又はＷＬＡＮ  ＡＰ又はｅＮＢ／ＮＢによって経験されるであろう予測されるトラフィックの混雑を示してよい。それに応じて、トラフィックボリューム閾値及び／又はトラフィックタイプフィルタは、実際の又は予測されるトラフィックの過負荷又は混雑を軽減するべく、アラームに基づいてＷＬＡＮオフローディングオペレーションのために設定されてよい。複数の実施形態において、ＷＬＡＮ  ＡＰ又はｅＮＢ／ＮＢから受信した、待ち時間又はスループット等の複数の性能測定は、ＷＬＡＮ  ＡＰ又はｅＮＢ／ＮＢによって経験された実際のトラフィックの過負荷又はＷＬＡＮ  ＡＰ又はｅＮＢ／ＮＢによって経験されるであろう予測されるトラフィックの混雑を示してよい。待ち行列理論、トラフィックの性質、複数のトラフィックモデル、ネットワーク機器の性質、その他のような、他のトラフィック工学技術又は知識に関連して、性能測定は、現在のトラフィック状況を評価するために又は将来のネットワークの問題を予測するために使用されてよい。それに応じて、トラフィックボリューム閾値及び／又はトラフィックタイプフィルタは、ＷＬＡＮオフローディングオペレーションの計画を立てるべく、受信した性能測定に基づいて設定されてよい。そのような複数のオペレーションは、過度にプロビジョニングすることなく、より少ないコストで信頼できるサービスを提供するべく、セルラーネットワークを助けてよい。
【００４８】
オペレーション５２０において、命令モジュール２２６は、例えば、１又は複数のＡＰ及び１又は複数の基地局に、トラフィックボリューム閾値又はトラフィックタイプフィルタに少なくとも一部基づいて、１又は複数のＡＰと１又は複数の基地局との間のトラフィックのオフローディングを開始又は調整することを命令してよい。複数の実施形態において、命令モジュール２２６は、１又は複数のＷＬＡＮ  ＡＰ及び１又は複数の基地局が、ｅＮＢ／ＮＢ又はＡＰのための負荷しきい値のような、それらのそれぞれの条件に基づいてＷＬＡＮオフローディングオペレーションを実行することを決定してよい。それに応じて、命令モジュール２２６は、これらのネットワークエレメントに、それらの間のトラフィックのオフローディングを開始又は調整するよう命令してよい。プロセス５００は、その後終了してよい。
【００４９】
図６は、開示された様々な実施形態を実現するのに適したコンピューティングデバイス６００の例のブロック図である。例えば、コンピューティングデバイス６００のいくつか又は全てのコンポーネントは、図２のシステム２００の複数のコンポーネントのうちのいくらかにおいて使用されてよい。コンピューティングデバイス６００は、１又は複数のプロセッサ６０４及び少なくとも１つの通信チップ６０６を含む、多数のコンポーネントを含んでよい。様々な実施形態において、プロセッサ６０４は、プロセッサコアを含んでよい。様々な実施形態において、少なくとも１つの通信チップ６０６はまた、プロセッサ６０４に物理的にかつ電気的に接続されてよい。さらなる実装において、通信チップ６０６は、プロセッサ６０４の一部であってよい。様々な実施形態において、コンピューティングデバイス６００は、ＰＣＢ６０２を含んでよい。これらの実施形態に関して、プロセッサ６０４及び通信チップ６０６は、そこに配置されてよい。代替的な実施形態において、様々なコンポーネントが、ＰＣＢ６０２の使用なしに、接続されてよい。通信チップ６０６は、本明細書において説明される受信及び／又は送信モジュールのいくらかに含まれてよい。
【００５０】
その複数の用途によって、コンピューティングデバイス６００は、ＰＣＢ６０２に物理的にかつ電気的に接続されてよい又はされない他の複数のコンポーネントを含んでよい。これらの他の複数のコンポーネントは、揮発性メモリ（例えば、ＤＲＡＭとも称する、ダイナミックランダムアクセスメモリ６０８）、不揮発性メモリ（例えば、ＲＯＭとも称するリードオンリーメモリ６１０、１又は複数のハードディスクドライブ、１又は複数の半導体ドライブ、１又は複数のコンパクトディスクドライブ、及び／又は１又は複数のデジタル多用途ディスクドライブ）、フラッシュメモリ６１２、入出力コントローラ６１４、デジタルシグナルプロセッサ（不図示）、暗号プロセッサ（不図示）、グラフィックスプロセッサ６１６、１又は複数のアンテナ６１８、タッチスクリーンディスプレイ６２０、タッチスクリーンコントローラ６２２、他の視覚的表示デバイス（不図示の、液晶ディスプレイ、陰極線管ディスプレイ及び電子インクディスプレイ等）、バッテリ６２４、オーディオコーデック（不図示）、ビデオコーデック（不図示）、全地球測位システム（ＧＰＳ）デバイス６２８、コンパス６３０、加速度計（不図示）、ジャイロスコープ（不図示）、スピーカ６３２、カメラ６３４及び大容量ストレージデバイス（不図示の、ハードディスクドライブ、ソリッドステートドライブ、コンパクトディスク（ＣＤ）、デジタル多用途ディスク（ＤＶＤ）、その他等）を含むが、限定はされない。様々な実施形態において、プロセッサ６０４は、他の複数のコンポーネントと同一のダイ上で一体化されて、システムオンチップ（ＳｏＣ）を形成してよい。
【００５１】
様々な実施形態において、揮発性メモリ（例えば、ＤＲＡＭ６０８）、不揮発性メモリ（例えば、ＲＯＭ６１０）、フラッシュメモリ６１２及び大容量ストレージデバイスは、コンピューティングデバイス６００が、１又は複数のプロセッサ６０４による実行に応じて、本明細書において説明される全て又は選択された複数のプロセスの複数の態様を実施させることができるよう構成された複数のプログラミング命令を含んでよい。例えば、揮発性メモリ（例えば、ＤＲＡＭ６０８）、不揮発性メモリ（例えば、ＲＯＭ６１０）、フラッシュメモリ６１２及び大容量ストレージデバイスのような、複数のメモリコンポーネントの１又は複数は、実行された場合に、コンピューティングデバイス６００が、制御モジュール６３６に、本明細書において説明される全ての又は選択された複数のプロセスの複数の態様を実施させるように構成するよう動作させることができる複数の命令の一時的な及び／又は永続的なコピーを含んでよい。コンピューティングデバイス６００にアクセス可能なメモリは、コンピューティングデバイス６００が実装されたデバイスの物理的な部材である１又は複数のストレージリソース、及び／又は、コンピューティングデバイス６００によってアクセス可能であるが、その一部である必要はない１又は複数のストレージリソースを含んでよい。例えば、ストレージリソースは、通信チップ６０６を介して、ネットワークを超えて、コンピューティングデバイス６００によってアクセスされてよい。
【００５２】
通信チップ６０６は、コンピューティングデバイス６００への及びからのデータ転送のために有線及び／又は無線通信を利用可能にしてよい。「無線」という用語及びその派生物は、非固体の媒体を通じて、変調された電磁波放射の使用を通じてデータを通信してよい複数の回路、複数のデバイス、複数のシステム、複数の方法、複数の技術、複数の通信チャネル等を説明するべく使用されてよい。この用語は、いくつかの実施形態においては、そうでないかもしれないが、関連する複数のデバイスが通信回線を含まないことを示唆しない。本明細書において説明する多数の実施形態は、ＷｉＦｉ及び３ＧＰＰ／ＬＴＥ通信システムにおいて用いられてよい。しかし、通信チップ６０６は、ＩＥＥＥ７０２．２０、汎用パケット無線サービス（ＧＰＲＳ）、Ｅｖｏｌｕｔｉｏｎ  Ｄａｔａ  Ｏｐｔｉｍｉｚｅｄ（Ｅｖ−ＤＯ）、進化型高速パケットアクセス（ＨＳＰＡ＋）、Ｅｖｏｌｖｅｄ  Ｈｉｇｈ  Ｓｐｅｅｄ  Ｄｏｗｎｌｉｎｋ  Ｐａｃｋｅｔ  Ａｃｃｅｓｓ（ＨＳＤＰＡ＋）、Ｅｖｏｌｖｅｄ  Ｈｉｇｈ  Ｓｐｅｅｄ  Ｕｐｌｉｎｋ  Ｐａｃｋｅｔ  Ａｃｃｅｓｓ（ＨＳＵＰＡ＋）、Ｇｌｏｂａｌ  Ｓｙｓｔｅｍ  ｆｏｒ  Ｍｏｂｉｌｅ  Ｃｏｍｍｕｎｉｃａｔｉｏｎ（ＧＳＭ（登録商標））、ＧＳＭ（登録商標）進化型高速データレート（ＥＤＧＥ）、符号分割多元接続（ＣＤＭＡ）、時分割多重アクセス（ＴＤＭＡ）、Ｄｉｇｉｔａｌ  Ｅｎｈａｎｃｅｄ  Ｃｏｒｄｌｅｓｓ  Ｔｅｌｅｃｏｍｍｕｎｉｃａｔｉｏｎｓ（ＤＥＣＴ）、Ｂｌｕｅｔｏｏｔｈ（登録商標）、それらに関する派生物、及び、３Ｇ、４Ｇ、５Ｇ及びその後として指定されるいくらかの他の無線プロトコルとを含むがそれに限定はされない、多数の無線標準又はプロトコルのうちのいくつかを実装してよい。コンピューティングデバイス６００は、複数の通信チップ６０６を含んでよい。例えば、第１の通信チップ６０６は、Ｗｉ−Ｆｉ及びＢｌｕｅｔｏｏｔｈ（登録商標）のようなより短いレンジの無線通信専用であってよく、第２の通信チップ６０６は、ＧＰＳ、ＥＤＧＥ、ＧＰＲＳ、ＣＤＭＡ、ＷｉＭＡＸ、ＬＴＥ、Ｅｖ−ＤＯ及びその他のような、より長いレンジの無線通信専用であってよい。
【００５３】
様々な実装において、コンピューティングデバイス６００は、ラップトップ、ネットブック、ノートブック、ウルトラブック（登録商標）、スマートフォン、コンピューティングタブレット、携帯情報端末、ウルトラモバイルＰＣ、携帯電話、デスクトップコンピュータ、サーバ、プリンタ、スキャナ、モニタ、セットトップボックス、エンターテイメントコントロールユニット（例えば、ゲーム機）、デジタルカメラ、携帯音楽プレイヤー、又はデジタルビデオレコーダーであってよく、さらなる実装において、コンピューティングデバイス６００は、データを処理する他の任意の電子デバイスであってよい。
【００５４】
図７は、様々な実施形態に従って、本開示の複数の態様を含む、複数のプログラミング命令を有する製品７１０を示す。様々な実施形態において、製品は、本開示の様々な実施形態を実装するべく用いられてよい。示されるように、製品７１０は、ＷＬＡＮオフローディングを実装するように構成された複数の命令７３０を含むコンピュータ可読非一時的記憶媒体７２０を含んでよい。記憶媒体７２０は、フラッシュメモリ、ダイナミックランダムアクセスメモリ、スタティックランダムアクセスメモリ、光ディスク、磁気ディスク等を含むがそれに限定されない、当技術分野において知られている永続的な記憶媒体の広範囲を表してよい。命令７３０は、装置によって実行されたことに応じて、装置に、本明細書において説明する様々なオペレーションを実行させてよい。例えば、記憶媒体７２０は、装置又はシステムに、本開示の複数の実施形態に従って、図３のプロセス３００、図４のプロセス４００及び／又は図５のプロセス５００のＷＬＡＮオフローディングのいくつか又は全ての態様を実施させるべく構成された命令７３０を含んでよい。
【００５５】
上述の複数の技術を実行するコンピュータ可読媒体（非一時的コンピュータ可読媒体及び／又は有形的コンピュータ可読媒体）、複数の方法、複数のシステム及び複数のデバイスが、本明細書において開示された複数の実施形態の実例となる例である。それに加えて、他の複数のデバイスが、開示された様々な技術を実行するよう構成されてよい。
【００５６】
このように、ＷＬＡＮオフローディングに関連する複数の装置、複数の方法及び記憶媒体が説明された。以下の段落は、様々な実施形態の複数の例を説明する。
【００５７】
例１は、タイプ１インタフェースを介して、複数のＷＬＡＮ  ＡＰと第１管理情報を通信するアクセスコントローラと、タイプ２インタフェースを介して、ネットワーク管理装置のＩＲＰマネージャと第２管理情報を通信するＩＲＰエージェントと、ＡＣ及びＩＲＰエージェントに接続され、第１管理情報を第２管理情報に、又は、第２管理情報を第１管理情報にマッピングする変換モジュールとを備える、ＷＬＡＮオフローディングのための装置である。
【００５８】
例２は、例１の主題を含んでよく、第１管理情報がＷＬＡＮ性能モニタ情報又はＷＬＡＮアラームレポート情報を含んでよいことをさらに特定する。
【００５９】
例３は、例１又は例２の主題を含んでよく、第２管理情報が、ＷＬＡＮオフローディング情報又はＷＬＡＮ管理情報を含んでよいことをさらに特定する。
【００６０】
例４は、例１から３のいずれか一例の主題を含んでよく、タイプ１インタフェースがＩＥＥＥ８０２．１１の標準プロトコル又は複数のＷＬＡＮ  ＡＰのうちの少なくとも１つによって使用されるプロプラエタリプロトコルに従って実装されることをさらに特定する。
【００６１】
例５は、例１から４のいずれか一例の主題を含んでよく、タイプ２インタフェースが、３ＧＰＰにおける標準インタフェースであることをさらに特定する。
【００６２】
例６は、例５の主題を含んでよく、タイプ２インタフェースがＰＭＩＲＰインタフェースであり、ＩＲＰエージェントが、ＰＭＩＲＰインタフェースを介して、ＩＲＰマネージャに、第２管理情報内の複数の性能測定を伝達することをさらに特定する。
【００６３】
例７は、例５の主題を含んでよく、タイプ２インタフェースがＡｌａｒｍＩＲＰインタフェースであり、ＩＲＰエージェントが、ＡｌａｒｍＩＲＰインタフェースを介して、ＩＲＰマネージャに、第２管理情報内の複数のアラームを伝達することをさらに特定する。
【００６４】
例８は、例１から７のいずれか一例の主題を含んでよく、ＩＲＰエージェントが、ＩＲＰマネージャが複数のＷＬＡＮ  ＡＰからの複数の性能測定を調査することを許可するよう構成することをさらに特定する。
【００６５】
例９は、１又は複数の無線ローカルエリアネットワークアクセスポイントの多数のインジケータであって、１又は複数のＷＬＡＮ  ＡＰと直接通信する少なくとも１つのエレメントマネージャから、ＮＭ装置に対して提供された多数のインジケータをモニタするセルラーネットワークのモニタモジュールと、モニタモジュールに接続され、多数のインジケータに少なくとも一部基づいてオフローディングオペレーションを有効にするトリガモジュールと、トリガモジュールに接続され、オフローディングオペレーションが引き起こされたときに、１又は複数の基地局と、１又は複数のＷＬＡＮ  ＡＰとの間のトラフィックのオフローディングを調整させるべく、１又は複数の基地局及び１又は複数のＷＬＡＮ  ＡＰに命令する命令モジュールとを備えるＷＬＡＮオフローディングのためのネットワーク管理装置である。
【００６６】
例１０は、例９の主題を含んでよく、多数のインジケータが、多数の性能測定及び多数のアラームを含んでよいことをさらに特定する。
【００６７】
例１１は、例１０の主題を含んでよく、トリガモジュールが、多数の性能測定のうちの少なくとも１つ又は多数のアラームのうちの少なくとも１つに少なくとも一部基づいて、ＷＬＡＮオフローディングのためのトラフィックボリューム閾値を設定してよく、かつ、トラフィックボリューム閾値に少なくとも一部基づいてオフローディングオペレーションを有効にしてよいことをさらに特定する。
【００６８】
例１２は、例１０又は１１の主題を含んでよく、トリガモジュールが、多数の性能測定の少なくとも１つ又は多数のアラームの少なくとも１つに少なくとも一部基づいて、ＷＬＡＮオフローディングのためのトラフィックタイプフィルタを設定してよく、かつ、トラフィックタイプフィルタに少なくとも一部基づいてオフローディングオペレーションを有効にしてよいことをさらに特定する。
【００６９】
例１３は、例１０−１２のいずれか一例の主題を含んでよく、セルラーネットワークが、次世代ユニバーサル地上無線アクセスネットワーク、ユニバーサル移動通信システム地上無線アクセスネットワーク、又は、ｇｌｏｂａｌ  ｓｙｓｔｅｍ  ｆｏｒ  ｍｏｂｉｌｅ  ｃｏｍｍｕｎｉｃａｔｉｏｎｓ  ｅｎｈａｎｃｅｄ  ｄａｔａ  ｒａｔｅｓ  ｆｏｒ  ｇｌｏｂａｌ  ｓｙｓｔｅｍ  ｆｏｒ  ｍｏｂｉｌｅ  ｃｏｍｍｕｎｉｃａｔｉｏｎ  ｅｖｏｌｖｅｄ  ｒａｄｉｏ  ａｃｃｅｓｓ  ｎｅｔｗｏｒｋであってよいことをさらに特定する。
【００７０】
例１４は、例１０−１３のいずれか一例の主題を含んでよく、１又は複数のＷＬＡＮ  ＡＰの少なくとも１つのカバレッジが、オフローディングオペレーションをサポートすべく、１又は複数のセルの少なくとも１つに重なっていることをさらに特定する。
【００７１】
例１５は、ネットワークマネージャと、ネットワークマネージャに接続され、ネットワークマネージャ及び多数のＷＬＡＮと通信する第１エレメントマネージャと、ネットワークマネージャに接続され、ネットワークマネージャ及びセルラーネットワークの多数の基地局と通信する第２エレメントマネージャとを備える無線ローカルエリアネットワークオフローディングのためのネットワーク管理システムである。多数のＷＬＡＮの少なくとも１つのアクセスポイントのカバレッジは、ＷＬＡＮオフローディングオペレーションをサポートすべく、セルラーネットワークの少なくとも１つの基地局のカバレッジと重なっていてよい。ネットワークマネージャは、多数のＷＬＡＮから受信した少なくとも１つのインジケータに少なくとも一部基づいて、ＷＬＡＮオフローディングオペレーションを有効にしてよい。
【００７２】
例１６は、例１５の主題を含んでよく、ネットワークマネージャが、多数のＷＬＡＮの少なくとも１つのＡＰの多数のインジケータをモニタするモニタモジュールと、モニタモジュールに接続され、オフローディングオペレーションを有効にするトリガモジュールと、トリガモジュールに接続され、オフローディングオペレーションが引き起こされたときに、多数のＷＬＡＮの少なくとも１つのＡＰと、セルラーネットワークの少なくとも１つの基地局との間のトラフィックのオフローディングを調整すべく、多数のＷＬＡＮの少なくとも１つのＡＰ及び多数のセルの少なくとも１つに命令する命令モジュールとを備えてよいことをさらに特定する。
【００７３】
例１７は、例１６の主題を含んでよく、多数のインジケータが、多数の性能測定及び多数のアラームを含んでよいことをさらに特定する。
【００７４】
例１８は、例１７の主題を含んでよく、オフローディングオペレーションが、多数の性能測定又は多数のアラームに少なくとも一部基づいて、ＷＬＡＮオフローディングのためのトラフィックタイプフィルタを設定すること又はトラフィックボリューム閾値を設定することを含んでよいことをさらに特定する。
【００７５】
例１９は、例１５の主題を含んでよく、第１エレメントマネージャが、タイプ１インタフェースを介して、多数のＷＬＡＮの少なくとも１つのＡＰと第１管理情報を通信するアクセスコントローラと、タイプ２インタフェースを介してネットワークマネージャのモニタモジュールと第２管理情報を通信するＩＲＰエージェントと、ＡＣ及びＩＲＰエージェントに接続され、第１管理情報を第２管理情報に、又は、第２管理情報を第１管理情報にマッピングする変換モジュールとを有してよいことをさらに特定する。
【００７６】
例２０は、例１９の主題を含んでよく、第１管理情報が、ＷＬＡＮ性能モニタ情報又はＷＬＡＮアラームレポート情報を含んでよいことをさらに特定する。
【００７７】
例２１は、例１９の主題を含んでよく、第２管理情報が、ＷＬＡＮオフローディング又は管理情報を含んでよいことをさらに特定する。
【００７８】
例２２は、例１９の主題を含んでよく、タイプ１インタフェースが、ＩＥＥＥ８０２．１１における標準プロトコル又は少なくとも１つのＡＰによって使用されるプロプラエタリプロトコルに従って実装されることをさらに特定する。
【００７９】
例２３は、例１９の主題を含んでよく、タイプ２インタフェースが、３ＧＰＰにおける標準インタフェースであることをさらに特定する。
【００８０】
例２４は、例２３の主題を含んでよく、タイプ２インタフェースがＰＭＩＲＰインタフェースであり、ＩＲＰエージェントがＰＭＩＲＰインタフェースを介してＩＲＰマネージャに対して第２管理情報内の多数の性能測定を伝達することをさらに特定する。
【００８１】
例２５は、例２３の主題を含んでよく、タイプ２インタフェースがＡｌａｒｍＩＲＰインタフェースであり、ＩＲＰエージェントが、ＡｌａｒｍＩＲＰインタフェースを介してＩＲＰマネージャに対して、第２管理情報内の多数のアラームを伝達することをさらに特定する。
【００８２】
例２６は、例１５−２５のいずれか一例の主題を含んでよく、１又は複数の基地局の少なくとも１つが、次世代ユニバーサル地上無線アクセスネットワーク、ユニバーサル移動通信システム地上波無線アクセスネットワーク、ユニバーサル移動通信システム地上無線アクセスネットワーク、又は、ｇｌｏｂａｌ  ｓｙｓｔｅｍ  ｆｏｒ  ｍｏｂｉｌｅ  ｃｏｍｍｕｎｉｃａｔｉｏｎｓ  ｅｎｈａｎｃｅｄ  ｄａｔａ  ｒａｔｅｓ  ｆｏｒ  ｇｌｏｂａｌ  ｓｙｓｔｅｍ  ｆｏｒ  ｍｏｂｉｌｅ  ｃｏｍｍｕｎｉｃａｔｉｏｎ  ｅｖｏｌｖｅｄ  ｒａｄｉｏ  ａｃｃｅｓｓ  ｎｅｔｗｏｒｋのうちの選択された１つに所属することをさらに特定する。
【００８３】
例２７は、エレメントマネージャによって、タイプ１インタフェースを介してＷＬＡＮのアクセスポイントから第１管理情報を受信することと、エレメントマネージャによって、第１管理情報を第２管理情報にマッピングすることと、エレメントマネージャによって、第２管理情報を、タイプ２インタフェースを介してネットワークマネージャに送信することとを備える無線ローカルエリアネットワークオフローディングのための方法である。第２管理情報は、ＷＬＡＮオフローディングオペレーションを引き起こしてよい。
【００８４】
例２８は、例２７の主題を含んでよく、エレメントマネージャによって、ＷＬＡＮオフローディングオペレーションに少なくとも一部基づいて、ＡＰと、セルラーネットワークの基地局との間のトラフィックのオフローディングを調整するべく、タイプ１インタフェースを介してＡＰに命令することをさらに含む。
【００８５】
例２９は、例２７の主題を含んでよく、第１管理情報が、ＡＰの多数の性能測定のうちの少なくとも１つ又はＡＰからの多数のアラームのうちの少なくとも１つを含んでよいことをさらに特定する。
【００８６】
例３０は、例２７の主題を含んでよく、タイプ１インタフェースがＩＥＥＥ８０２．１１における標準プロトコル又はＡＰによって使用されるプロプラエタリプロトコルに従って実装されてよいことをさらに特定する。
【００８７】
例３１は、例２７の主題を含んでよく、タイプ２インタフェースが、３ＧＰＰにおける標準インタフェースであってよいことをさらに特定する。
【００８８】
例３２は、例２７の主題を含んでよく、ＷＬＡＮオフローディングオペレーションが、ＷＬＡＮオフローディングのためのトラフィックタイプフィルタ又はトラフィックボリューム閾値に少なくとも一部基づくことをさらに特定する。
【００８９】
例３３は、タイプ１インタフェースを介してＷＬＡＮのアクセスポイントから第１管理情報を受信する手段と、第１管理情報を第２管理情報にマッピングする手段と、タイプ２インタフェースを介して、第２管理情報をネットワークマネージャに送信する手段とを備える無線ローカルエリアネットワークオフローディングのための装置である。第２管理情報は、ＷＬＡＮオフローディングオペレーションを引き起こしてよい。
【００９０】
例３４は、例３３の主題を含んでよく、命ＷＬＡＮオフローディングオペレーションに少なくとも一部基づいて、ＡＰと、セルラーネットワークの基地局との間のトラフィックのオフローディングを調整すべく、タイプ１インタフェースを介して、ＡＰに命令する手段をさらに含む。
【００９１】
例３５は、例３３の主題を含んでよく、第１管理情報は、ＡＰの多数の性能測定の少なくとも１つ又はＡＰからの多数のアラームの少なくとも１つを含んでよいことをさらに特定する。
【００９２】
例３６は、例３３の主題を含んでよく、タイプ１インタフェースが、ＩＥＥＥ８０２．１１における標準プロトコル又はＡＰによって使用されるプロプラエタリプロトコルに従って実装されてよいことをさらに特定する。
【００９３】
例３７は、例３３の主題を含んでよく、タイプ２インタフェースが、３ＧＰＰにおける標準インタフェースであってよいことをさらに特定する。
【００９４】
例３８は、実行されたときに、ネットワーク管理装置に、タイプ２インタフェースを介してＷＬＡＮのＡＰからメッセージを受信し、そのメッセージに少なくとも一部基づいてＷＬＡＮオフローディングオペレーションを引き起こさせる複数の命令を有する１又は複数の非一時的コンピュータ可読媒体である。メッセージは、ＡＰによってタイプ１インタフェースを介して送信されてよい。
【００９５】
例３９は、例３８の主題を含んでよく、エレメント管理装置に、タイプ１インタフェースとタイプ２インタフェースとの間でメッセージを変換させ、タイプ１インタフェースは、ＩＥＥＥ８０２．１１における標準プロトコル又はＡＰによって使用されるプロプラエタリプロトコルに従って実装され、タイプ２インタフェースは、３ＧＰＰにおける標準インタフェースである。
【００９６】
例４０は、例３８の主題を含んでよく、ネットワーク管理装置に、さらに、メッセージに少なくとも一部基づいてＷＬＡＮオフローディングのためのトラフィックタイプフィルタ又はトラフィックボリューム閾値を設定させる。
【００９７】
例４１は、例４０の主題を含んでよく、ネットワーク管理装置に、さらに、トラフィックボリューム閾値又はトラフィックタイプフィルタに少なくとも一部基づいて、１又は複数のＡＰと、１又は複数の基地局との間のトラフィックのオフローディングを調整すべく、１又は複数のＡＰ及び１又は複数の基地局に命令させる。
【００９８】
本明細書において、説明の目的のために、特定の複数の実施形態が示され、記載されたが、同様の目的を達成するために計画された、多種多様の代替的な及び／又は均等な実施形態又は実装形態が、本開示の範囲から逸脱することなく、開示又は記載された実施形態の代わりに用いられることができる。本願は、本明細書に記載された複数の実施形態の改造又はバリエーションの結果物をもカバーすることを意図されている。それ故、本明細書において開示された複数の実施形態は、特許請求の範囲によってのみ限定されることが意図されている。
【００９９】
本開示において、「１つの」若しくは「第１の」構成要素又はその均等物のように表現された場合、当該表現は、１又は複数の当該構成要素を含んでおり、２又は３以上の当該構成要素を要求したり、排除したりするものではない。さらに、特定の構成要素に対する複数の序数のインジケータ（例えば、第１の、第２の、第３の、等）は、構成要素間を区別する目的で用いられており、要求された若しくは限定された数の当該構成要素の存在を示したり、示唆したりするものではなく、また、特に他に述べられないかぎり、それらは、当該構成要素の特定の順位若しくは順番を示すものではない。
【図１】
2018125880.tif 000004
【図２】
2018125880.tif 000005
【図３】
2018125880.tif 000006
【図４】
2018125880.tif 000007
【図５】
2018125880.tif 000008
【図６】
2018125880.tif 000009
【図７】
2018125880.tif 000010
【手続補正書】
【提出日】平成30年3月27日(2018.3.27)
【手続補正１】
【補正対象書類名】特許請求の範囲
【補正対象項目名】全文
【補正方法】変更
【補正の内容】
【特許請求の範囲】
【請求項１】
第１のインタフェースを介して無線ローカルエリアアクセスネットワーク（ＷＬＡＮ）のアクセスポイント（ＡＰ）から送信されたＷＬＡＮ性能又はＷＬＡＮアラーム情報に関する第１管理情報を取得し、前記第１管理情報を、アラームインテグレーションリファレンスポイント（ＩＲＰ）インタフェース又はパフォーマンスマネジメントＩＲＰインタフェースである第２のインタフェースを介して送信される第２管理情報にマッピングするトランスレータと、
前記トランスレータに接続され、前記ＷＬＡＮ性能又は前記ＷＬＡＮアラーム情報に基づいて、ＷＬＡＮオフローディングオペレーションの管理をサポートすべく、前記第２のインタフェースを介して、３ＧＰＰ通信ネットワークのＩＲＰマネージャに前記第２管理情報を送信するＩＲＰエージェントと
を備える装置。
【請求項２】
前記第１管理情報は、前記ＷＬＡＮ性能及び前記ＷＬＡＮアラーム情報に関する、請求項１に記載の装置。
【請求項３】
前記第１管理情報は、前記ＡＰの状態変化を示す、請求項１又は２に記載の装置。
【請求項４】
前記状態変化は、ｉｆＯｐｅｒＳｔａｔｕｓオブジェクトのアップ又はダウンへの変化である、請求項３に記載の装置。
【請求項５】
前記装置は、アクセスコントローラから前記第１管理情報を受信する、請求項１から４のいずれか一項に記載の装置。
【請求項６】
前記第１のインタフェースは、ＩＥＥＥ（Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ）８０２．１１における標準プロトコルに従って実装される、請求項１から５のいずれか一項に記載の装置。
【請求項７】
前記第１管理情報は、前記ＡＰの複数の性能測定のうちの少なくとも１つ、又は、前記ＡＰからの複数のアラームの少なくとも１つを有する、請求項１から６のいずれか一項に記載の装置。
【請求項８】
コンピュータに、
第１のインタフェースを介して無線ローカルエリアアクセスネットワーク（ＷＬＡＮ）のアクセスポイント（ＡＰ）から送信されたＷＬＡＮ性能又はＷＬＡＮアラーム情報に関する第１管理情報を取得する手順と、
前記第１管理情報を、アラームインテグレーションリファレンスポイント（ＩＲＰ）インタフェース又はパフォーマンスマネジメントＩＲＰインタフェースである第２のインタフェースを介して送信される第２管理情報にマッピングする手順と、
前記ＷＬＡＮ性能又は前記ＷＬＡＮアラーム情報に基づいて、ＷＬＡＮオフローディングオペレーションの管理をサポートすべく、前記第２のインタフェースを介して、３ＧＰＰ通信ネットワークのＩＲＰマネージャに前記第２管理情報を送信する手順と
を実行させるためのプログラム。
【請求項９】
前記第１管理情報は、前記ＷＬＡＮ性能及び前記ＷＬＡＮアラーム情報に関する、請求項８に記載のプログラム。
【請求項１０】
前記第１管理情報は、前記ＡＰの状態変化を示す、請求項８又は９に記載のプログラム。
【請求項１１】
前記状態変化は、ｉｆＯｐｅｒＳｔａｔｕｓオブジェクトのアップ又はダウンへの変化である、請求項１０に記載のプログラム。
【請求項１２】
前記コンピュータに、アクセスコントローラから前記第１管理情報を受信する手順をさらに実行させるための、請求項８から１１のいずれか一項に記載のプログラム。
【請求項１３】
前記第１のインタフェースは、ＩＥＥＥ（Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ）８０２．１１における標準プロトコルに従って実装されるタイプ１インタフェースである、請求項８から１２のいずれか一項に記載のプログラム。
【請求項１４】
前記第１管理情報は、前記ＡＰの複数の性能測定のうちの少なくとも１つ、又は、前記ＡＰからの複数のアラームの少なくとも１つを有する、請求項８から１３のいずれか一項に記載のプログラム。
【請求項１５】
請求項８から１４のいずれか一項に記載のプログラムを記録したコンピュータ可読記録媒体。
【請求項１６】
デバイスが、第１のインタフェースを介して無線ローカルエリアアクセスネットワーク（ＷＬＡＮ）のアクセスポイント（ＡＰ）から送信されたＷＬＡＮ性能又はＷＬＡＮアラーム情報に関する第１管理情報を取得する工程と、
前記デバイスが、前記第１管理情報を、アラームインテグレーションリファレンスポイント（ＩＲＰ）インタフェース又はパフォーマンスマネジメントＩＲＰインタフェースである第２のインタフェースを介して送信される第２管理情報にマッピングする工程と、
前記デバイスが、前記ＷＬＡＮ性能又は前記ＷＬＡＮアラーム情報に基づいて、ＷＬＡＮオフローディングオペレーションの管理をサポートすべく、前記第２のインタフェースを介して、３ＧＰＰ通信ネットワークのＩＲＰマネージャに前記第２管理情報を送信する工程と
を備える方法。
【請求項１７】
前記第１管理情報は、前記ＷＬＡＮ性能及び前記ＷＬＡＮアラーム情報に関する、請求項１６に記載の方法。
【請求項１８】
前記第１管理情報は、前記ＡＰの状態変化を示す、請求項１６又は１７に記載の方法。
【請求項１９】
前記状態変化は、ｉｆＯｐｅｒＳｔａｔｕｓオブジェクトのアップ又はダウンへの変化である、請求項１８に記載の方法。
【請求項２０】
前記デバイスが、アクセスコントローラから前記第１管理情報を受信する工程をさらに備える、請求項１６から１９のいずれか一項に記載の方法。
【請求項２１】
請求項１６から２０のいずれか一項に記載の方法を実行するデバイス。